(57)【要約】【課題】同一ビルに複数台のエレベータを設置する場合、エレベータ遠隔装置にコストが高いモデム部分を複数準備する必要がない安価なエレベータ遠隔監視システムを得る。【解決手段】同一ビル１に設置された複数台のエレベータ２ａ，２ｂを遠隔監視するエレベータ遠隔監視システムであって、かご内の乗客による管理センター９への通話音声データと、エレベータ２ａ，２ｂの動作状況を表すエレベータ動作状況データとを混合させて管理センター９の通信装置１０へ送信するエレベータ遠隔監視装置を備え、エレベータ遠隔監視装置を、複数台のエレベータ２ａ，２ｂのそれぞれを遠隔監視する複数台の子機２０ａ，２０ｂと、子機２０ａ，２０ｂのそれぞれに接続される１台の親機２２により構成し、親機２２と子機２０ａ，２０ｂとの間のデータ通信を共有すると共に、子機２０ａ，２０ｂの１台が管理センター９の通信装置１０と通信を行う。【選択図】図１
2013010621.tif 000002
【特許請求の範囲】
【請求項１】
同一建築物に設置された複数台のエレベータを遠隔監視するエレベータ遠隔監視システムであって、
かご内の乗客による管理センターへの通話音声データと、上記エレベータの動作状況を表すエレベータ動作状況データとを混合させて上記管理センターの通信装置へ送信するエレベータ遠隔監視装置を備え、
上記エレベータ遠隔監視装置を、上記複数台のエレベータのそれぞれを遠隔監視する複数台の子機と、上記子機のそれぞれに接続される１台の親機により構成し、
上記親機と上記子機との間のデータ通信を共有すると共に、上記子機の１台が上記管理センターの通信装置と通信を行うことを特徴とするエレベータ遠隔監視システム。
【請求項２】
上記親機に制御装置を備え、上記子機から上記かご内への乗客の閉じ込めを表すデータを受信した場合、
上記制御装置は、上記乗客の閉じ込めを表すデータを発信した子機からの音声データを各子機からの上記エレベータ動作状況データよりも優先してパケット化して送信することを特徴とする請求項１に記載のエレベータ遠隔監視システム。
【発明の詳細な説明】
【技術分野】
【０００１】
この発明は、エレベータ遠隔監視システムに係り、特に、同一建築物に設置された複数台のエレベータを遠隔監視するエレベータ遠隔監視システムに関するものである。
【背景技術】
【０００２】
従来、同一建築物（以下、ビルという。）に複数台のエレベータを設置した場合、図２に示すエレベータ遠隔監視システムが採用されている。
図２において、ビル１には、複数台のエレベータ２ａ，２ｂ（図２においては便宜上２台の場合を図示している。）と、エレベータ２ａ，２ｂのそれぞれを遠隔監視するエレベータ遠隔監視装置３ａ，３ｂが設けられている。
【０００３】
エレベータ２ａには、かご内に設置されたインターフォン４ａとエレベータ制御盤５ａが設けられており、このインターフォン４ａとエレベータ制御盤５ａは、エレベータ遠隔監視装置３ａと接続されている。また、エレベータ２ｂにも同様に、かご内に設置されたインターフォン４ｂとエレベータ制御盤５ｂが設けられており、このインターフォン４ｂとエレベータ制御盤５ｂは、エレベータ遠隔監視装置３ｂと接続されている。
【０００４】
エレベータ遠隔監視装置３ａには、インターフォン４ａに接続された音声圧縮伸張回路６ａ、モデム７ａ、および音声圧縮伸張回路６ａ、エレベータ制御盤５ａ、モデム７ａが接続されたビル側制御装置８ａが設けられている。また、エレベータ遠隔監視装置３ｂにも同様に、インターフォン４ｂに接続された音声圧縮伸張回路６ｂ、モデム７ｂ、および音声圧縮伸張回路６ｂ、エレベータ制御盤５ｂ、モデム７ｂが接続されたビル側制御装置８ｂが設けられている。
【０００５】
また、ビル１から離れた場所にある管理センター９内には、通信装置１０、ヘッドセット１１、およびサーバ１２が設けられている。通信装置１０には、モデム１３、ヘッドセット１１と接続された音声圧縮伸張回路１４、およびモデム１３、音声圧縮伸張回路１４、サーバ１２が接続された管理センター側制御装置１５が設けられている。モデム１３は、電話網１６を介してビル１側のエレベータ遠隔監視装置３ａ，３ｂに設けられたモデム７ａ，７ｂと接続されている。なお、ヘッドセット１１は、マイクとスピーカー（ともに図示せず）を有しており、管理センター９内の管理者と管理センター９外部との通話に用いられる。
【０００６】
上記構成において、インターフォン４ａ，４ｂからのアナログ音声は、音声圧縮伸張回路６ａ，６ｂにて音声圧縮したデジタル音声データに変換され、ビル側制御装置８ａ，８ｂに出力される。逆に、ビル側制御装置８ａ，８ｂからのデジタル音声データは、音声圧縮伸張回路６ａ，６ｂにて音声伸張されてアナログ音声に変換され、インターフォン４ａ，４ｂに出力される。
【０００７】
同様に、ヘッドセット１１からのアナログ音声は、音声圧縮伸張回路１４にて音声圧縮したデジタル音声データに変換され、管理センター側制御装置１５に出力される。逆に、管理センター側制御装置１５からのデジタル音声データは、音声圧縮伸張回路１４にて音声伸張されてアナログ音声に変換され、ヘッドセット１１に出力される。
【０００８】
従来のエレベータ遠隔監視システムは上記のように構成されており、次にその動作について説明する。
エレベータ２ａ，２ｂの動作状況について、それぞれのエレベータ制御盤５ａ，５ｂはビル側制御装置８ａ，８ｂに「エレベータ動作状況を表すデータ」を送信する。ビル側制御装置８ａ，８ｂはモデム７ａ，７ｂを用いて、電話網１６、管理センター９側に設けられた通信装置１０内のモデム１３を介して、管理センター側制御装置１５に「エレベータ動作状況を表すデータ」を送信する。管理センター側制御装置１５は、「エレベータ動作状況を表すデータ」をサーバ１２に送信する。
【０００９】
ここで、例えばエレベータ２ａの故障等によりかご内に乗客が閉じ込められると、エレベータ制御盤1５ａはビル側制御装置８ａに「エレベータ動作状況を表すデータ」のひとつとして「閉じ込めを表すデータ」を送信する。ビル側制御装置８ａはモデム７ａを用いて、電話網１６、管理センター９側に設けられた通信装置１０内のモデム１３を介して、管理センター側制御装置１５に「閉じ込めを表すデータ」を送信する。管理センター側制御装置１５は、「閉じ込めを表すデータ」をサーバ１２に送信する。
【００１０】
また、「閉じ込めを表すデータ」を受信したビル側制御装置８ａはモデム７ａを用いて、電話網１６、管理センター９側に設けられた通信装置１０内のモデム１３を介して、管理センター側制御装置１５にインターフォン４ａからの「デジタル音声データ」を送信する。さらに、「閉じ込めを表すデータ」を受信した管理センター側制御装置１５は、音声圧縮伸張回路１４に上記「デジタル音声データ」を送信する。音声圧縮伸張回路１４は「デジタル音声データ」をアナログ音声に変換してヘッドセット１１に送信する。
【００１１】
逆に、「閉じ込めを表すデータ」を受信した管理センター側制御装置１５はモデム１３を用いて、電話網１６、エレベータ遠隔監視装置３ａ内のモデム７ａを介して、ビル側制御装置８ａにヘッドセット１１からの「デジタル音声データ」を送信する。さらに、「閉じ込めを表すデータ」を受信したビル側制御装置８ａは、音声圧縮伸張回路６ａに上記「デジタル音声データ」を送信する。音声圧縮伸張回路６ａは「デジタル音声データ」をアナログ音声に変換してインターフォン４ａに送信する。
【００１２】
なお、エレベータ２ｂの故障等によりかご内に乗客が閉じ込められた場合についても、上記と同様に動作する。
【００１３】
上記の場合において、ビル側制御装置８ａ，８ｂは、「デジタル音声データ」と「エレベータ動作状況を表すデータ」とを同時にモデム７ａ，７ｂに送信する際には、音声が途切れないように、「デジタル音声データ」を優先してパケット化して送信する。即ち、電話網１６の通信状態が悪いと、モデム７ａ，７ｂで送信できるパケット数が減少する。音声は途切れると聞き取れないので、音声が途切れないように、「デジタル音声データ」を優先してパケット化して送信するため、「エレベータ動作状況を表すデータ」の送信パケットが相対的に減少し、「エレベータ動作状況を表すデータ」通信速度が低下する。逆方向についても、同じ仕組みが働く。
【００１４】
上記のように、同一ビル１に複数台のエレベータ２ａ，２ｂを設置した場合には、電話網１６を共用し、エレベータ遠隔監視装置３ａ，３ｂを複数設置し、そのうち１台のエレベータ遠隔監視装置３ａがセンター９側の通信装置１０と通信を行う。
【００１５】
なお、上記従来技術に関連する先行技術文献として特開２００７−２１７１３８号公報（特許文献１）が存在する。この特許文献１に開示された発明は、管理センターに対する通信速度が低下しているときのエレベータの重度異常を検出時に、管理センター側にエレベータの重度異常の発生を知らせるまでの時間を短縮させることができるエレベータの通信装置に関する発明である。
【先行技術文献】
【特許文献】
【００１６】
【特許文献１】特開２００７−２１７１３８号公報
【発明の概要】
【発明が解決しようとする課題】
【００１７】
従来のエレベータ遠隔監視システムは上記のように構成されているので、同一ビルに複数台のエレベータを設置する場合、コストが高いモデム７ａ，７ｂを含んだエレベータ遠隔監視装置３ａ，３ｂをそれぞれ設置することが必要となる問題が発生する。
【００１８】
また、電話網１６を排他的に共有しているので、同時に通信可能なエレベータ遠隔監視装置は１台だけであり、例えばエレベータ２ａの故障等によりかご内に乗客が閉じ込められた場合などで管理センター９側と音声接続している時間が長いと、その間は他のエレベータ遠隔監視装置は通信できない問題点が発生する。
【００１９】
この発明は、上記従来技術の問題点を解決することを目的とするもので、同一ビルに複数台のエレベータを設置する場合、エレベータ遠隔装置にコストが高いモデム部分を１個のみ準備すればよく、モデム部分を複数準備する必要がない安価な構成のエレベータ遠隔監視システムを提供するものである。
【課題を解決するための手段】
【００２０】
この発明に係るエレベータ遠隔監視システムは、同一建築物に設置された複数台のエレベータを遠隔監視するエレベータ遠隔監視システムであって、かご内の乗客による管理センターへの通話音声データと、上記エレベータの動作状況を表すエレベータ動作状況データとを混合させて上記管理センターの通信装置へ送信するエレベータ遠隔監視装置を備え、上記エレベータ遠隔監視装置を、上記複数台のエレベータのそれぞれを遠隔監視する複数台の子機と、上記子機のそれぞれに接続される１台の親機により構成し、上記親機と上記子機との間のデータ通信を共有すると共に、上記子機の１台が上記管理センターの通信装置と通信を行うものである。
【発明の効果】
【００２１】
この発明に係るエレベータ遠隔監視システムによれば、同一ビルに複数台のエレベータを設置する場合、コストが高いモデム部分を１個のみ準備すればよく、モデム部分を複数準備する必要がない安価な構成のエレベータ遠隔監視システムを得ることができる。
【図面の簡単な説明】
【００２２】
【図１】この発明の実施の形態１に係るエレベータ遠隔監視システムを説明するブロック構成図である。
【図２】従来のエレベータ遠隔監視システムを説明するブロック構成図である。
【発明を実施するための形態】
【００２３】
以下、この発明に係るエレベータ遠隔監視システムの好適な実施の形態について図面を参照して説明する。なお、以降の説明では、各図中、同一符号は同一又は相当部分を示している。
【００２４】
実施の形態１．
図１は、この発明の実施の形態１に係るエレベータ遠隔監視システムを説明するブロック構成図である。図１において、ビル１には、複数台のエレベータ２ａ，２ｂ（図１においては便宜上２台の場合を図示している。）と、エレベータ２ａ，２ｂのそれぞれを遠隔監視するエレベータ遠隔監視装置の子機２０ａ，２０ｂが設けられている。
【００２５】
エレベータ２ａには、かご内に設置されたインターフォン４ａとエレベータ制御盤５ａが設けられており、このインターフォン４ａとエレベータ制御盤５ａは、エレベータ遠隔監視装置の子機２０ａと接続されている。また、エレベータ２ｂにも同様に、かご内に設置されたインターフォン４ｂとエレベータ制御盤５ｂが設けられており、このインターフォン４ｂとエレベータ制御盤５ｂは、エレベータ遠隔監視装置の子機２０ｂと接続されている。
【００２６】
エレベータ遠隔監視装置の子機２０ａには、インターフォン４ａに接続された音声圧縮伸張回路６ａ、および音声圧縮伸張回路６ａとエレベータ制御盤５ａとが接続された子機側データ通信回路２１ａが設けられている。また、エレベータ遠隔監視装置の子機２０ｂにも同様に、インターフォン４ｂに接続された音声圧縮伸張回路６ｂ、および音声圧縮伸張回路６ｂとエレベータ制御盤５ｂとが接続された子機側データ通信回路２１ｂが設けられている。
【００２７】
更に、ビル１にはエレベータ遠隔監視装置の親機２２が設けられている。このエレベータ遠隔監視装置の親機２２は、エレベータ遠隔監視装置の子機２０ａ，２０ｂのそれぞれに設けられた子機側データ通信回路２１ａ，２１ｂに接続された親機側データ通信回路２３と、この親機側データ通信回路２３に接続されたビル側制御装置８、およびビル側制御装置８に接続されたモデム７が設けられている。
【００２８】
また、ビル１から離れた場所にある管理センター９内には、通信装置１０、ヘッドセット１１、およびサーバ１２が設けられている。通信装置１０には、モデム１３、ヘッドセット１１と接続された音声圧縮伸張回路１４、およびモデム１３、音声圧縮伸張回路１４、サーバ１２が接続された管理センター側制御装置１５が設けられている。モデム１３は、電話網１６を介してビル１側のエレベータ遠隔監視装置の親機２２に設けられたモデム７と接続されている。なお、ヘッドセット１１は、マイクとスピーカー（ともに図示せず）を有しており、管理センター９内の管理者と管理センター９外部との通話に用いられる。
【００２９】
上記構成において、インターフォン４ａ，４ｂからのアナログ音声は、音声圧縮伸張回路６ａ，６ｂにて音声圧縮したデジタル音声データに変換され、子機側データ通信回路２１ａ，２１ｂに出力される。逆に、子機側データ通信回路２１ａ，２１ｂからのデジタル音声データは、音声圧縮伸張回路６ａ，６ｂにて音声伸張されてアナログ音声に変換され、インターフォン４ａ，４ｂに出力される。
【００３０】
同様に、ヘッドセット１１からのアナログ音声は、音声圧縮伸張回路１４にて音声圧縮したデジタル音声データに変換され、管理センター側制御装置１５に出力される。逆に、管理センター側制御装置１５からのデジタル音声データは、音声圧縮伸張回路１４にて音声伸張されてアナログ音声に変換され、ヘッドセット１１に出力される。
【００３１】
実施の形態１に係るエレベータ遠隔監視システムは上記のように構成されており、次にその動作について説明する。
エレベータ２ａ，２ｂの動作状況について、それぞれのエレベータ制御盤５ａ，５ｂは子機側データ通信回路２１ａ，２１ｂに「エレベータ動作状況を表すデータ」を送信し、子機側データ通信回路２１ａ，２１ｂは親機側データ通信回路２３に「エレベータ動作状況を表すデータ」を送信する。また、親機側データ通信回路２３は親機側制御装置８に「エレベータ動作状況を表すデータ」を送信する。
【００３２】
次に、親機側制御装置８はモデム７を用いて、電話網１６、管理センター９側に設けられた通信装置１０内のモデム１３を介して、管理センター側制御装置１５に「エレベータ動作状況を表すデータ」を送信する。管理センター側制御装置１５は、「エレベータ動作状況を表すデータ」をサーバ８に送信する。
【００３３】
ここで、例えばエレベータ２ａの故障等によりかご内に乗客が閉じ込められると、エレベータ制御盤５ａは子機側データ通信回路２１ａに「エレベータ動作状況を表すデータ」のひとつとして「閉じ込めを表すデータ」を送信する。以後は「エレベータ動作状況を表すデータ」と同様である。
【００３４】
また、「閉じ込めを表すデータ」を受信した子機側データ通信回路２１ａは、エレベータ遠隔監視装置の親機２２に設けられた親機側データ通信回路２３に対してインターフォン４ａからの「デジタル音声データ」を送信する。次に、親機側データ通信回路２３はビル側制御装置８に「デジタル音声データ」を送信し、ビル側制御装置８はモデム７を用いて、電話網１６、管理センター９側の通信装置１０内のモデム１３を介して、管理センター側制御装置１５に「デジタル音声データ」を送信する。管理センター側制御装置１５は、音声圧縮伸張回路１４に上記「デジタル音声データ」を送信し、音声圧縮伸張回路１４は「デジタル音声データ」をアナログ音声に変換してヘッドセット１１に送信する。
【００３５】
逆に、「閉じ込めを表すデータ」を受信した管理センター側制御装置１５は、モデム１３を用いて、電話網１６、エレベータ遠隔監視装置の親機２２内のモデム７を介して、ビル側制御装置８にヘッドセット１１からの「デジタル音声データ」を送信する。さらに、「閉じ込めを表すデータ」を受信したビル側制御装置８は、親機側データ通信回路２３に「デジタル音声データ」を送信し、親機側データ通信回路２３はエレベータ遠隔監視装置の子機２０ａに「デジタル音声データ」を送信する。
【００３６】
子機側データ通信回路２１ａは「デジタル音声データ」を受信し、音声圧縮伸張回路６ａに上記「デジタル音声データ」を送信する。音声圧縮伸張回路６ａは「デジタル音声データ」をアナログ音声に変換してインターフォン４ａに送信する。
【００３７】
なお、エレベータ２ｂの故障等によりかご内に乗客が閉じ込められた場合についても、上記と同様に動作する。
【００３８】
上記の場合において、親機側制御装置８は、「デジタル音声データ」と「エレベータ動作状況を表すデータ」とを同時にモデム７に送信する際には、音声が途切れないように、「デジタル音声データ」を優先してパケット化して送信する。即ち、電話網５の通信状態が悪いと、モデム７で送信できるパケット数が減少するので、音声が途切れないように、「デジタル音声データ」を優先してパケット化して送信するため、「エレベータ動作状況を表すデータ」の送信パケットが減少し、相対的に「エレベータ動作状況を表すデータ」通信速度が低下する。逆方向についても、同じ仕組みが働く。
【００３９】
上記のように、同一ビル１に複数台のエレベータ２ａ，２ｂを設置した場合、実施の形態１に係るエレベータ遠隔監視システムは、エレベータ遠隔監視装置の子機２０ａ，２０ｂを複数設置すると共に、エレベータ遠隔監視装置の親機２２間のデータ通信を共有し、そのうち１台のエレベータ遠隔監視装置の子機が管理センター９側の通信装置１０と通信を行う。
【００４０】
実施の形態１に係るエレベータ遠隔監視システムは以上のように構成されており、各エレベータ遠隔監視装置の子機２０ａ，２０ｂから「閉じ込めを表すデータ」を受信していない場合には、親機側制御装置８は各エレベータ遠隔監視装置の子機２０ａ，２０ｂから「エレベータ動作状況を表すデータ」をモデム７、電話網１６を介して、センター９側に設けられた通信装置１０に「エレベータ動作状況を表すデータ」を順次パケット化して送信する。
【００４１】
また、エレベータ遠隔監視装置の子機２０ａ，２０ｂから「閉じ込めを表すデータ」を受信した場合には、親機側制御装置８は音声が途切れないように、「閉じ込めを表すデータ」を発信したエレベータ遠隔監視装置の子機２０ａ，２０ｂからの「デジタル音声データ」を各エレベータ遠隔監視装置の子機２０ａ，２０ｂからの「エレベータ動作状況を表すデータ」よりも優先してパケット化して送信する。
【００４２】
従って、同一ビル１に複数台のエレベータ２ａ，２ｂがある場合でも、エレベータ遠隔装置にコストが高いモデム７を１個のみ準備すればよく、モデム７を複数準備する必要がないため、安価なシステム構成が可能となる。
【００４３】
また、同一ビル１に複数台のエレベータ２ａ，２ｂがあり、あるエレベータに閉じ込めが発生し、管理センター９側と音声接続している場合でも、他のエレベータの動作状況を管理センター９に送信することが可能となる。
【符号の説明】
【００４４】
１  ビル
２ａ，２ｂ  エレベータ
３ａ，３ｂ  エレベータ遠隔監視装置
４ａ，４ｂ  インターフォン
５ａ，５ｂ  エレベータ制御盤
６ａ，６ｂ，１４  音声圧縮伸張回路
７，７ａ，７ｂ，１３  モデム
８，８ａ，８ｂ  ビル側制御装置
９  管理センター
１０  通信装置
１１  ヘッドセット
１２  サーバ
１５  管理センター側制御装置
１６  電話網
２０ａ，２０ｂ  エレベータ遠隔監視装置の子機
２１ａ，２１ｂ  子機側データ通信回路
２２  エレベータ遠隔監視装置の親機
２３  親機側データ通信回路
【図１】
2013010621.tif 000003
【図２】
2013010621.tif 000004